(57)【要約】【課題】髪の毛やタオル等が吸い込まれることのない循環式浴槽の吸水口構造を提供する。【解決手段】吸水口フランジ７の浴槽内側に吸水口カバー８を取り付けた循環式浴槽の吸水口構造において、吸水口フランジ７は、パッキン材１３を介して浴槽壁１内面に当接するフランジ部７３の外周付近に、全周に亘って立上部７４が立ち上げられ、この立上部７４の外周には雄ネジ部７４ａとＯリングＯを装着できるＯリング溝７４ｂが形成され、一方の吸水口カバー８の円筒側面部８２の内周には、雌ネジ部８２ａと、ＯリングＯの外周に当接するＯリング当接面８２ｂが形成され、吸水口カバー８を吸水口フランジ７にねじ込んだ際には、吸水口カバー８の端面８２ｃと、吸水口フランジ７が全周に亘って当接するように構成する。【選択図】                図２
2005013292.tif 000002
【特許請求の範囲】
【請求項１】
浴槽に形成された開口を、パッキン材を介して、浴槽内側からの吸水口フランジと、浴槽外側からの吸水口ボディで挟み込んで覆い、前記吸水口フランジの浴槽内側に吸水口カバーを取り付けた循環式浴槽の吸水口構造において、
前記吸水口フランジは、パッキン材を介して浴槽内面に当接するフランジ部の外周付近に、全周に亘って立上部が立ち上げられ、該立上部の外周には雄ネジ部とＯリング溝が形成されてなり、
一方の前記吸水口カバーの円筒側面部の内周には、前記吸水口フランジの雄ネジ部に螺合する雌ネジ部と、前記Ｏリング溝に装着されたＯリングの外周に当接するＯリング当接面が形成されているとともに、
該吸水口カバーを前記吸水口フランジにねじ込んだ際には、該吸水口カバーの端面と、吸水口フランジが全周に亘って当接するように構成したことを特徴とする循環式浴槽の吸水口構造。
【請求項２】
前記吸水口フランジには、前記フランジ部を前記立上部の根本から更に吸水口カバーの円筒側面部の外径寸法まで外側に延長させた鍔部を設け、該鍔部に対し前記吸水口カバーの円筒側面部の末端に平らに形成された端面が当接するように構成するとともに、前記鍔部と前記端面間の隙間が１ｍｍ以下の状態では、前記吸水口カバーのＯリング当接面がＯリングの外周に当接しているように設定したことを特徴とする請求項１に記載の循環式浴槽の吸水口構造。
【請求項３】
前記吸水口カバーを前記吸水口フランジにねじ込む際に、最初のネジが掛かった状態から少なくとも９０°回転させる時点までは、吸水口カバーのＯリング当接面がＯリングに当接しないように設定したことを特徴とする請求項１または請求項２に記載の循環式浴槽の吸水口構造。
【発明の詳細な説明】
【０００１】
【発明の属する技術分野】
この発明は、循環式浴槽における吸水口の構造に関するものである。
【０００２】
【従来の技術】
従来、循環式浴槽においては、吸水口から浴槽内の湯を吸い出して循環させ、再び浴槽内に噴出口から湯を噴出させる構造となっており、浴槽に設けられた吸水口は、浴槽の開口に吸水口フランジを固設し、この吸水口フランジに対し吸水口カバーが取り付けられて構成されている。
【０００３】
【特許文献１】
特開平８−２１５２６７号公報
【特許文献２】
特開２００１−１７４０６９号公報
【０００４】
【発明が解決しようとする課題】
従来では、吸水口フランジと吸水口カバーとの間や、吸水口フランジと浴槽との間に隙間があると、浴槽水が吸水口から吸い出される際に、この隙間から髪の毛やタオル等を吸い込み、抜け難いことがあった。
【０００５】
また、吸水口フランジに対する吸水口カバーの取付方法として、吸水口フランジへのねじ込み，ビスやボルトでの固定，押して回転させることによる掛り止め，弾性爪部による掛り止め等の手段があるが、ねじ込み，ビスやボルトでの固定方法では、吸水口カバーと吸水口フランジとの当接による取り付けの場合、硬質部材同士の当接のため、平面の平滑性や成形歪み等があり、完全なシールはできないものであった。
【０００６】
また、パッキン材を押し当ててシールする場合には、繰り返しパッキン材を強く押し潰すことで、パッキン材がへたったり、洗剤や入浴剤，お湯等でパッキン材が変質，変形したりすることで、耐久性が良くないという問題点があった。
【０００７】
また、押して回転や弾性爪部による掛り止めの場合は、遊びがあることでシールができなかったり、掛り止めした状態の反力でパッキン材を押し潰したりする場合は、パッキン材の耐久性の問題に加えて、掛り止め部の反力が弱いことでシール性が不足したり、掛り止め部や爪部に局部的に応力が掛かることで、掛り止めの力が弱くなったり破損したり、あるいは性能を維持するためにはコストが高くなる場合があるという問題点があった。
【０００８】
【課題を解決するための手段】
本発明は、上記従来の問題点に鑑み案出したものであって、シール材の耐久性が高まり、良好なシール性が確保されて、隙間から髪の毛やタオル等が吸い込まれることのない循環式浴槽の吸水口構造を提供せんことを目的とし、その第１の要旨は、浴槽に形成された開口を、パッキン材を介して浴槽内側からの吸水口フランジと、浴槽外側からの吸水口ボディで挟み込んで覆い、前記吸水口フランジの浴槽内側に吸水口カバーを取り付けた循環式浴槽の吸水口構造において、前記吸水口フランジは、パッキン材を介して浴槽内面に当接するフランジ部の外周付近に、全周に亘って立上部が立ち上げられ、該立上部の外周には雄ネジ部とＯリング溝が形成されてなり、一方の前記吸水口カバーの円筒側面部の内周には、前記吸水口フランジの雄ネジ部に螺合する雌ネジ部と、前記Ｏリング溝に装着されたＯリングの外周に当接するＯリング当接面が形成されているとともに、該吸水口カバーを前記吸水口フランジにねじ込んだ際には、該吸水口カバーの端面と、吸水口フランジが全周に亘って当接するように構成したことである。
【０００９】
また、第２の要旨は、前記吸水口フランジには、前記フランジ部を前記立上部の根本から更に吸水口カバーの円筒側面部の外径寸法まで外側に延長させた鍔部を設け、該鍔部に対し前記吸水口カバーの円筒側面部の末端に平らに形成された端面が当接するように構成するとともに、前記鍔部と前記端面間の隙間が１ｍｍ以下の状態では、前記吸水口カバーのＯリング当接面が、Ｏリングの外周に当接しているように設定したことである。
【００１０】
また、第３の要旨は、前記吸水口カバーを前記吸水口フランジにねじ込む際に、最初のネジが掛かった状態から少なくとも９０°回転させる時点までは、吸水口カバーのＯリング当接面がＯリングに当接しないように設定したことである。
【００１１】
【発明の実施の形態】
以下、本発明の実施例を図面に基づいて説明する。
図１は、循環式浴槽の概略構成図であり、浴槽１には、吸水口２と噴出口３が設けられており、この吸水口２と噴出口３間は循環路４で結ばれており、循環路４の途中には循環ポンプ５が設けられて、この循環ポンプ５が作動することにより、吸水口２から浴槽１内の湯を循環路４内に吸い込んで、再び噴出口３から浴槽１内に湯を噴出させることができるように構成されており、循環路４内の循環ポンプ５の例えば下流側には圧力センサー６が設けられて、この圧力センサー６により、循環路４内の圧力変化が検知された場合、すなわち、吸水口２が髪の毛やタオル等で塞がれた場合には、循環ポンプ５を確実に停止させることができるように構成されている。
【００１２】
この吸水口２は、図２の縦断面拡大図で示すような部材が組み付けられて構成されている。
なお、図３には、吸水口２を構成する部材の分解斜視図を示している。
浴槽の壁１には、所定位置に開口１ａが貫通状に形成されており、この開口１ａに対し、浴槽の内側から吸水口フランジ７が差し込まれて、浴槽壁１の裏側に吸水口フランジ７が貫通され、この吸水口フランジ７に対し、浴槽壁１の外側から吸水口ボディ１５を締め付けて、吸水口フランジ７が浴槽壁１に固設されるものであり、この吸水口フランジ７に対し、浴槽内側から吸水口カバー８が取り付けられている。
【００１３】
まず、吸水口フランジ７を、図４および図５に拡大して示し、その構成を説明する。
図４は、吸水口フランジ７の縦断面拡大構成図（図４は図５のＡ−Ａ線断面を示す）であり、図５は、吸水口フランジ７の正面構成図である。
吸水口フランジ７は、横方向に貫通する開口７１ｂを形成する筒状の筒状部７１を有し、この筒状部７１の外周には、吸水口ボディ１５を連結するための連結用雄ネジ部７１ａが形成されている。
また、筒状部７１の図示左部位には、開口７１ｂ内に板状のリブ７２が、上方側から下方に向かって垂設されており、このリブ７２の上部および下部には、それぞれネジ用下孔７２ａ，７２ａが横方向に貫通状に形成されている。
【００１４】
このリブ７２より図示左側の筒状部７１の左端には、アール部７１ｄが形成され、このアール部７１ｄとリブ７２間には、凹み状に取付凹部７１ｃが形成されており、この取付凹部７１ｃ内に、第１フィルター９と、第２フィルター１１を取り付けできるように構成されている。
また、筒状部７１の図示左端のアール部７１ｄから、外側へ９０°に突出してフランジ部７３が一体形成されており、このフランジ部７３は、スリップワッシャー１２およびＬ型パッキン１３を介在させて、浴槽壁１の内面に当接されるものである。
【００１５】
このフランジ部７３の外周付近に、直交状に立上部７４が全周に亘って図示左側に向かい一体状に立ち上げ形成されており、この立上部７４は筒状部７１と平行状に形成されている。
この立上部７４の外周には、雄ネジ部７４ａが形成され、この雄ネジ部７４ａよりもフランジ部７３側の外周には、凹み状にＯリング溝７４ｂが形成されており、このＯリング溝７４ｂには、ＯリングＯを嵌め込むことができるように構成されている。
また、フランジ部７３から外側へ突出して鍔部７５が一体形成されており、この鍔部７５は、立上部７４の根本から更に吸水口カバー８の円筒側面部８２の外径寸法まで外側へ延長させたものである。
【００１６】
次に、吸水口カバー８を、図６に拡大縦断面構成図で示し説明する。
吸水口カバー８は、球面状の曲面に形成された底壁部８１の外周に、横方向へ向かって円筒側面部８２が一体形成されて、全体として有底円筒形状に形成されており、底壁部８１には、全面に亘って横方向に貫通する多数の小孔８３が形成され、この小孔８３は、底壁部８１のみに形成されて、円筒側面部８２には形成されていない。なお、この多数の小孔８２が第３フィルターを構成するものである。
【００１７】
また、円筒側面部８２の内周面には、雌ネジ部８２ａが底壁部８１側に形成されており、雌ネジ部８２ａの図示右側の円筒側面部８２の内周には、ＯリングＯの外周に当接し得るＯリング当接面８２ｂが形成されており、Ｏリング当接面８２ｂの図示右端の、円筒側面部８２の端面には、平らな当接端面８２ｃが形成されている。
【００１８】
この吸水口カバー８の雌ネジ部８２ａを、吸水口フランジ７の雄ネジ部７４ａに螺合させて、吸水口フランジ７に対し吸水口カバー８をねじ込み、吸水口カバー８を着脱可能に取り付けすることができるものであり、吸水口フランジ７に対し吸水口カバー８をねじ込んだ際に、吸水口カバー８の当接端面８２ｃが吸水口フランジ７の鍔部７５に全周に亘って当接するように構成されており、この状態では、Ｏリング溝７４ｂに装着されているＯリングＯの外周にＯリング当接面８２ｂが当接するものである。
【００１９】
なお、雄ネジ部７４ａに雌ネジ部８２ａが引っ掛かり始めたねじ込み初期から、少なくとも吸水口カバー８を９０°回転させる時点までは、Ｏリング当接面８２ｂがＯリングＯに当接しないように設定されている。
即ち、雄ネジ部７４ａに雌ネジ部８２ａがしっかりと引っ掛かるまでは、ＯリングＯにＯリング当接面８２ｂが当接せず、Ｏリングによる摺動抵抗が発生しないように構成されている。
このように、Ｏリングに当たるとねじ込み難くなるため、確実に吸水口カバー８をねじ込みできるように設定されており、ねじ込み作業がし易く、無理にねじ込んでネジ山を潰すことのないように設定されている。
【００２０】
なお、更には、吸水口カバー８の当接端面８２ｃと、吸水口フランジ７の鍔部７５との隙間が１ｍｍ以下の状態では、Ｏリング当接面８２ｂがＯリングＯの外周に当接状態を維持するように設定されている。
即ち、１ｍｍ以下の隙間が生じても、ＯリングＯによりシールが成されているため、この隙間内に髪の毛等が吸い込まれることはない。
【００２１】
なお、Ｏリング当接面８２ｂと鍔部７５との間に、１ｍｍ程度の隙間が生じていれば、吸水口カバー８が緩んでいることを目で十分確認することができ、使用者は吸水口カバー８の円筒側面部８２に手を掛けて締め付け、Ｏリング当接面８２ｂを確実に吸水口フランジ７の鍔部７５に当接させて、確実なシール性を確保することができるものとなる。
例えば、子供のいたずら等で吸水口カバー８が緩んだ時には、Ｏリング当接面８２ｂと鍔部７５間に生ずる隙間を、視覚的に良好に確認でき、すぐ締め付ける作業を行うことができる。
【００２２】
なお、締め付け直した状態では、ＯリングＯによるシールと、当接端面８２ｃと鍔部７５が全周に亘って当接することで、確実なシール性が確保されるため、髪の毛やタオル等が吸い込まれることはない。
また、ＯリングＯの外周にＯリング当接面８２ｂが当接する構造であり、ＯリングＯには押し潰し力は作用しないために、ＯリングＯがへたることがなく、Ｏリングの耐久性も高められるものとなる。
また、吸水口カバー８はねじ込み式であるため、使用者にとっては分かり易く、着脱し易いものとなり、当接端面８２ｃを吸水口フランジ７の鍔部７５に当接させて、確実なシール性を確保できるものとなる。
【００２３】
なお、吸水口カバー８の底壁部８１は球面状の曲面であるため、人の手などで多数の小孔８３全部を覆うことは難しいが、髪の毛やタオルは乱れることなく、多数の小孔８３に張り付き、円筒側面部８２には開口がないため、円筒側面部８２には張り付かないものとなる。
なお、髪の毛やタオルが乱れることなく、底壁部８１に張り付くことで、前述した如く、吸水口２が良好に閉塞され、これにより循環ポンプ５が運転を良好に停止し、髪の毛やタオルの吸い込みが停止され、しかも底壁部８１は球面状であるため、髪の毛やタオルを真上方向に軽い力で引き上げて、底壁部８１から引き剥がすことができ、髪の毛やタオルを引っ張って容易に吸水口カバー８から引き離すことができ、安全性が向上したものとなっている。
【００２４】
なお、多数の小孔８３は、底壁部８１の全面に開口されているため、十分な開口面積が確保されており、通常運転時に流速も速くならず、吸引力も小さいものとなる。
なお、吸水口フランジ７の筒状部７１を、浴槽壁１の開口１ａを通して外側に配置させ、浴槽の外側から吸水口ボディ１５を締め付けるが、吸水口ボディ１５は、大径部１５ａの図示左端に、外側へ突出する鍔部１５ｂが一体形成され、この鍔部１５ｂの内周側には、雌ネジ１５ｃが形成されている。また、大径部１５ａの右端には、連続して小径部１５ｄが形成されている。
【００２５】
この吸水口ボディ１５の雌ネジ１５ｃを、吸水口フランジ７の連結用雄ネジ部７１ａに螺合させて締め付けてゆくが、この時に、浴槽壁１と吸水口ボディ１５の鍔部１５ｂ間に三角パッキン１４を介在させておき、また、浴槽壁１と吸水口フランジ７のフランジ部７３間には、スリップワッシャー１２とＬ型パッキン１３を介在させておき、このＬ型パッキン１３と三角パッキン１４で、確実に浴槽壁の開口１ａを塞ぐことができるものである。
即ち、Ｌ型パッキン１３は、吸水口フランジ７のフランジ部７３と浴槽壁１間に挟まれ、また、三角パッキン１４は、吸水口ボディ１５の鍔部１５ｂと浴槽壁１間に挟まれて、良好なシール性が確保されるものである。
【００２６】
次に、前述した吸水口フランジ７の取付凹部７１ｃ内に取り付けられる第１フィルター９を、図７および図８で拡大して説明する。
なお、図７は、図８（正面図）におけるＣ−Ｃ線断面図である。
第１フィルター９は、内側に段部９１ａを形成した外周リング部９１を有し、この外周リング部９１の内側には、対向状に２個のネジ通し孔９２，９２が形成されている。
また、中央部の中央板部９３には、図示左方向へ突出するリング状の立上リング部９４が一体形成されており、この立上リング部９４内には、嵌合凹部９５が形成されている。
中央板部９３と外周リング部９１間には、網部９６が張設されており、例えばこの網部９６は、０．５ｍｍ程度のステンレス線材で、１０メッシュ程度の網状に形成されたものである。
【００２７】
この第１フィルター９は、吸水口フランジ７の取付凹部７１ｃ内に嵌め込まれ、ネジ通し孔９２，９２にそれぞれタッピングネジ１０，１０を通し、このタッピングネジ１０，１０を、それぞれ、吸水口フランジ７のネジ用下孔７２ａ，７２ａ内にネジを切りながら締め付けてゆくことで、タッピングネジ１０，１０を介して、第１フィルター９は吸水口フランジ７の取付凹部７１ｃ内に固定状に取り付けられるものである。
【００２８】
次に、第２フィルター１１を、図９および図１０に拡大して示す。なお、図９は、図１０（正面図）におけるＢ−Ｂ線断面を示すものである。
この第２フィルター１１は、外周リング部１１１の外周端部には、アール１１１ａが形成されており、第２フィルター１１の中央部には、図示左側へ突出して、指で摘まむことのできる摘み突部１１２が設けられ、この摘み突部１１２の外周には、外側へ突出して鍔リング部１１３が形成されて、更に鍔リング部１１３から図示右側に突出して、差込部１１４が摘み突部１１２と連続状に形成されている。
また、鍔リング部１１３と外周リング部１１１の内周間には、網部１１５が張設されている。
【００２９】
この第２フィルター１１の差込部１１４を、前記第１フィルター９の嵌合凹部９５内に差し込み、しかも、第２フィルター１１の外周リング部１１１を、吸水口フランジ７の取付凹部７１ｃの内面に嵌合させて、摩擦力で取付凹部７１ｃ内に第２フィルター１１を着脱可能に固定できるように構成されている。
このように、吸水口フランジ７の取付凹部７１ｃ内に、第１フィルター９を固定状に取り付け、更に、第２フィルター１１を着脱可能に取り付けた後に、吸水口フランジ７には、前述した吸水口カバー８が、ネジを介し着脱可能に取り付けられるものである。
【００３０】
このように本例では、網状フィルターである第１フィルター９と、その上流側の網状フィルターである第２フィルター１１と、更にその上流側に配置される吸水口カバー８の小孔８３で構成される第３フィルターの、３段階のフィルターが配置されて構成されており、先ず、小孔８３の第３フィルターで大きめのゴミを捕獲し、第２フィルター１１で小さめのゴミを捕獲することができ、この第３フィルター８３と第２フィルター１１は、着脱可能なものであるため、良好に掃除することができ、ゴミ等を効率良く２つのフィルター８３，１１で捕獲できるために、目詰まりし難いものとなる。
【００３１】
なお、第３フィルター８３と第２フィルター１１を外したままで運転された場合には、第１フィルター９で最低限のゴミは捕獲できるため、循環ポンプ５が壊れる可能性は低いものとなる。
なお、第２フィルター１１の網部１１５のメッシュを、第１フィルター９の網部９６のメッシュよりもフィルター性能の高い細かいものに設定しておけば、第３フィルター８３と第２フィルター１１で効率良くゴミ等が捕獲されるため、第１フィルター９が目詰まりを起こすことは殆ど無いものとなる。
【００３２】
なお、上流側の吸水口カバー８の小孔８３で構成される第３フィルターでは、大きなゴミや髪の毛等，湯垢，石鹸かす等の比較的粘度が大きく固まっているものを捕獲することができ、下流側の第２フィルター１１，第１フィルター９では、繊維状の糸くず等を良好に捕獲することができるものとなる。
即ち、第３フィルター８３で捕獲し難い小さな糸くずのみを第２フィルター１１，第１フィルター９で捕獲すれば良いため、効率良く捕獲しながら目詰まりし難いものとなり、ポンプ５の故障につながる大きな異物や髪の毛等の吸い込みを確実に防ぐことができるものである。
【００３３】
【発明の効果】
本発明は、浴槽に形成された開口を、パッキン材を介して浴槽内側からの吸水口フランジと、浴槽外側からの吸水口ボディで挟み込んで覆い、吸水口フランジの浴槽内側に吸水口カバーを取り付けた循環式浴槽の吸水口構造において、吸水口フランジは、パッキン材を介して浴槽内面に当接するフランジ部の外周付近に、全周に亘って立上部が立ち上げられ、立上部の外周には雄ネジ部とＯリング溝が形成されてなり、一方の吸水口カバーの円筒側面部の内周には、吸水口フランジの雄ネジ部に螺合する雌ネジ部と、前記Ｏリング溝に装着されたＯリングの外周に当接するＯリング当接面が形成されているとともに、吸水口カバーを吸水口フランジにねじ込んだ際には、吸水口カバーの端面と、吸水口フランジが全周に亘って当接するように構成したことにより、吸水口フランジと吸水口カバーの側面部で、Ｏリングによるシールをするため、両部材の隙間には吸い込み力は発生しないものとなる。
また、Ｏリングには一定の潰し力しか掛からないため、Ｏリングはへたり難く耐久性が高められるものとなる。
また、吸水口カバーの着脱はねじ込み式のため、使用者にとって分かり易く、且つ着脱し易いものとなり、ねじ込んでゆくと、吸水口カバーの端面と吸水口フランジが全周に亘って当接するために、Ｏリングによる止水に加えて、より確実な止水が行われて、シール性が高いものとなり、隙間から髪の毛やタオル等が吸い込まれることがない。
【００３４】
また、吸水口フランジには、フランジ部を立上部の根本から更に吸水口カバーの円筒側面部の外径寸法まで外側に延長させた鍔部を設け、鍔部に対し、吸水口カバーの円筒側面部の末端に平らに形成された端面が当接するように構成するとともに、鍔部と端面間の隙間が１ｍｍ以下の状態では、吸水口カバーのＯリング当接面が、Ｏリングの外周に当接しているように設定したことにより、例えば子供のいたずら等で吸水口カバーが緩んだりした際にも、目で緩んでいることを良好に確認することができ、また緩んでいる場合でも隙間が１ｍｍ以内であれば、Ｏリングによるシール性が保たれており、髪の毛やタオル等を吸い込むことはなく、緩んでいる場合には、使用者は吸水口カバーをねじ込んで、吸水口カバーの端面を吸水口フランジの鍔部に当接させ、当接状態を手で確認して良好なシール性を確保できるものとなる。
【００３５】
また、吸水口カバーを吸水口フランジにねじ込む際に、最初のネジが掛かった状態から少なくとも９０°回転させる時点までは、吸水口カバーのＯリング当接面がＯリングに当接しないように設定したことにより、ネジがしっかりと引っ掛かるまでは、Ｏリングによる摺動抵抗は発生しないため、確実にねじ込むことが可能となり、ねじ込み作業がし易く、無理やりねじ込んでネジ山を潰すこともないものとなる。
【図面の簡単な説明】
【図１】循環式浴槽の要部概略構成図である。
【図２】吸水口の構成部材の組付状態の縦断面拡大構成図である。
【図３】吸水口の構成部材の分解斜視図である。
【図４】吸水口フランジの縦断面拡大構成図（図５のＡ−Ａ線断面図）である。
【図５】吸水口フランジの正面構成図である。
【図６】吸水口カバーの縦断面拡大構成図である。
【図７】第１フィルターの縦断面拡大構成図（図８のＣ−Ｃ線断面図）である。
【図８】第１フィルターの正面構成図である。
【図９】第２フィルターの縦断面拡大構成図（図１０のＢ−Ｂ線断面図）である。
【図１０】第２フィルターの正面拡大構成図である。
【符号の説明】
１    浴槽（浴槽壁）
２    吸水口
３    噴出口
４    循環路
５    循環ポンプ
６    圧力センサー
７    吸水口フランジ
８    吸水口カバー
９    第１フィルター
１０    タッピングネジ
１１    第２フィルター
１２    スリップワッシャー
１３    Ｌ型パッキン
１４    三角パッキン
１５    吸水口ボディ
１５ａ    大径部
１５ｂ    鍔部
１５ｃ    雌ネジ部
１５ｄ    小径部
７１    筒状部
７１ａ    連結用雄ネジ部
７１ｂ    開口
７１ｃ    取付凹部
７２    リブ
７２ａ    ネジ用下孔
７３    フランジ部
７４    立上部
７４ａ    雄ネジ部
７４ｂ    Ｏリング溝
７５    鍔部
８１    底壁部
８２    円筒側面部
８２ａ    雌ネジ部
８２ｂ    Ｏリング当接面
８２ｃ    当接端面
８３    小孔（第３フィルター）
９１    外周リング部
９２    ネジ通し孔
９３    中央板部
９４    立上リング部
９５    嵌合凹部
９６    網部
１１１    外周リング部
１１２    摘み突部
１１３    鍔リング部
１１４    差込部
１１５    網部
【図１】
2005013292.tif 000003
【図２】
2005013292.tif 000004
【図３】
2005013292.tif 000005
【図４】
2005013292.tif 000006
【図５】
2005013292.tif 000007
【図６】
2005013292.tif 000008
【図７】
2005013292.tif 000009
【図８】
2005013292.tif 000010
【図９】
2005013292.tif 000011
【図１０】
2005013292.tif 000012